(57)【特許請求の範囲】
【請求項１】
原稿読取装置であって、
第１および第２原稿を読み取る読取部と、
給紙トレイに載置された第１原稿をスリットガラスに向けて送出する原稿送出部と、
第２原稿を載置するプラテンガラスを備えた原稿載置部と、
前記第１原稿が読み取られる場合、前記スリットガラスと対向する位置に前記読取部を移動させるとともに、前記第２原稿が読み取られる場合、前記プラテンガラスに沿った副走査方向に前記読取部を移動させる駆動部と、
前記読取部を前記プラテンガラスへ向けて押圧する押圧手段と、
前記副走査方向と直交する主走査方向において前記読取部の両端に設けられ、前記押圧手段によって押圧されることにより前記プラテンガラスに当接する当接部材と、
を備え、
前記スリットガラスは主走査方向において前記プラテンガラスよりも狭い幅に形成されており、
前記読取部が前記スリットガラスに対応して位置する場合、前記当接部材は主走査方向における前記スリットガラスの両外側に位置する該スリットガラスを保持する部材に突き当てられ、
前記読取部が前記プラテンガラスに対向して位置する場合、前記当接部材は前記プラテンガラスに突き当てられ、
前記第１原稿と前記読取部との間の距離と前記第２原稿と前記読取部との間の距離が同等となるように設定されていることを特徴とする原稿読取装置。
【請求項２】
請求項１に記載の原稿読取装置において、
前記スリットガラスの原稿と対向する側の面には、滑動部材が設けられていることを特徴とする原稿読取装置。
【請求項３】
請求項１または２に記載の原稿読取装置において、
前記読取部は、密着イメージセンサーであることを特徴とする原稿読取装置。
【発明の詳細な説明】
【技術分野】
【０００１】
本発明は、原稿読取装置に関するもので、特に、原稿送出部により送出される第１原稿の読み取り手法の改良に関する。
【背景技術】
【０００２】
従来より、ドキュメントフィーダー（以下、単に、「ＤＦ」と称する）で引き込まれた原稿を内蔵する光学系で読み取るとともに、載置用のコンタクトガラスに載置された原稿を内蔵する光学系で読み取ることができる画像読取装置が知られている（例えば、特許文献１）。
【０００３】
ここで、特許文献１の技術では、載置用のコンタクトガラスの上部面付近の像が光学系に結像される。また、載置用のコンタクトガラスの上部面の高さ位置と、ＤＦ用コンタクトガラス上に固定されたガイドの高さ位置と、が同一となるように設定されている。これにより、ＤＦにより読み取られた原稿の画像、載置用のコンタクトガラスに載置された原稿の画像、ともピンぼけすることなく良好に読み取られる。
【先行技術文献】
【特許文献】
【０００４】
【特許文献１】特開２００３−１１０８１８号公報
【発明の概要】
【発明が解決しようとする課題】
【０００５】
しかしながら、特許文献１には、光学系およびＤＦ用コンタクトガラスの位置関係をどのような部材により規定するかということについては記載されていない。すなわち、特許文献１において、光学系およびＤＦ用コンタクトガラスの位置関係を規定するための具体的な構成が不明である。
【０００６】
そこで、本発明では、原稿送出部により送出された第１原稿の画像、およびプラテンガラス上に載置された第２原稿の画像を、簡便な構成によって良好に読み取ることができる原稿読取装置を提供することを目的とする。
【課題を解決するための手段】
【０００７】
上記の課題を解決するため、本発明は、原稿読取装置であって、第１および第２原稿を読み取る読取部と、給紙トレイに載置された第１原稿をスリットガラスに向けて送出する原稿送出部と、第２原稿を載置するプラテンガラスを備えた原稿載置部と、前記第１原稿が読み取られる場合、前記スリットガラスと対向する位置に前記読取部を移動させるとともに、前記第２原稿が読み取られる場合、前記プラテンガラスに沿った副走査方向に前記読取部を移動させる駆動部と、前記読取部を前記プラテンガラスへ向けて押圧する押圧手段と、前記副走査方向と直交する主走査方向において前記読取部の両端に設けられ、前記押圧手段によって押圧されることにより前記プラテンガラスに当接する当接部材と、を備え、前記スリットガラスは主走査方向において前記プラテンガラスよりも狭い幅に形成されており、前記読取部が前記スリットガラスに対応して位置する場合、前記当接部材は主走査方向における前記スリットガラスの両外側に位置する該スリットガラスを保持する部材に突き当てられ、前記読取部が前記プラテンガラスに対向して位置する場合、前記当接部材は前記プラテンガラスに突き当てられ、前記第１原稿と前記読取部との間の距離と前記第２原稿と前記読取部との間の距離が同等となるように設定されていることを特徴とする。
【００１０】
また、上記原稿読取装置において、前記読取部は、密着イメージセンサーであることを特徴とする。
【発明の効果】
【００１１】
本発明によれば、読取部の焦点深度の大小によらず、原稿送出部により送出された第１原稿の画像、およびプラテンガラス上に載置された第２原稿の画像を、ピンぼけなく良好に読み取ることができる。
【００１２】
また、本発明によれば、読取部の焦点深度が適切に（焦点深度が小さくなるように）設定されていれば、スリットガラスの上面にホコリ等の異物が付着している場合であっても、この異物の像が読取部で結像されることを防止できる。そのため、スリットガラスに異物が付着している場合であっても、この異物に起因したスジ（線）が第１原稿の画像に生じることを防止できる。
【００１３】
また、本発明によれば、第１原稿は、スリットガラスの上面から隔てて配置されており、第１原稿の読取面とスリットガラスが直接接触することを防止できる。そのため、スリットガラスに異物が付着すること自体を抑制できる。
【図面の簡単な説明】
【００１４】
【図１】本発明の第１および第２の実施の形態における原稿読取装置の構成の一例を示す斜視図である。
【図２】本発明の第１および第２の実施の形態における原稿読取装置の構成の一例を示す正面断面図である。
【図３】駆動部の構成の一例を示す斜視図である。
【図４】読取部付近の構成の一例を示す正面断面図である。
【図５】プラテンガラスおよびスリットガラスと、当接部との位置関係の一例を示す平面図である。
【図６】第１の実施の形態におけるスリットガラスと、当接部と、滑動部材との位置関係の一例を示す側面図である。
【図７】第１および第２の実施の形態におけるプラテンガラスと、当接部との位置関係の一例を示す側面図である。
【図８】第２の実施の形態におけるスリットガラスと、当接部と、滑動部材との位置関係の一例を示す側面図である。
【発明を実施するための形態】
【００１５】
以下、図面を参照しつつ本発明の実施の形態について詳細に説明する。
【００１６】
＜１．第１の実施の形態＞
＜１．１．原稿読取装置の構成＞
図１および図２は、それぞれ本発明の第１の実施の形態における原稿読取装置１の構成の一例を示す斜視図および正面断面図である。図３は、駆動部５０の構成の一例を示す斜視図である。図４は、読取部１０付近の構成の一例を示す正面断面図である。
【００１７】
原稿読取装置１は、いわゆるスキャナーであり、複合機に組み込み可能とされており、原稿から画像を読み取る。ここで、複合機は、ＭＦＰ（Multifunction Peripheral）とも呼ばれ、複合機によってファクシミリ機能、コピー機能、スキャン機能、およびプリント機能等の複数の機能が実現される。
【００１８】
図１および図２に示すように、原稿読取装置１は、主として、読取部１０と、原稿載置部２０と、原稿送出部３０と、駆動部５０と、表示部８０と、操作部８５と、制御部９０と、を備えている。なお、図１および以降の各図には、それらの方向関係を明確にすべく必要に応じて適宜、Ｚ軸方向を鉛直方向とし、ＸＹ平面を水平面とするＸＹＺ直交座標系が付されている。
【００１９】
読取部１０は、原稿送出部３０により送出される原稿Ｍ１（第１原稿）、または原稿載置部２０に載置された原稿Ｍ２（第２原稿）から画像を読み取る。図２および図４に示すように、読取部１０は、本体部５内に配置されている。図４に示すように、読取部１０は、主として、光源１１と、セルフォックレンズ１４と、受光部１６と、を有している。
【００２０】
光源１１は、原稿Ｍ１、Ｍ２に光を照射する照明であり、例えば一または複数の発光素子により構成されている。図４に示すように、光源１１は、直方体上のハウジング１０ａ内に配置されている。なお、本実施の形態では、発光素子としてＬＥＤ（Light Emitting Diode）が用いられている。
【００２１】
セルフォックレンズ１４は、読取部１０の主走査方向（Ｙ軸方向と平行な方向：矢印ＡＲ１方向と垂直な方向）に延びる板状体のレンズである。図４に示すように、セルフォックレンズ１４は、光源１１と同様に、ハウジング１０ａ内に配置されており、光源１１から照射され原稿Ｍ１、Ｍ２で反射された光を、受光部１６に導く。
【００２２】
受光部１６は、原稿Ｍ１、Ｍ２で反射された光を受光する。図４に示すように、受光部１６は、光源１１およびセルフォックレンズ１４と同様に、ハウジング１０ａ内に配置されており、例えば複数の受光素子により構成されている。なお、本実施の形態では、受光素子としてＣＭＯＳ（Complementary Metal Oxide Semiconductor）が用いられている。
【００２３】
このように、読取部１０は、密着イメージセンサ（Contact Image Sensor：ＣＩＳ）として構成されている。すなわち、読取部１０の光源１１、セルフォックレンズ１４、および受光部１６は、ハウジング１０ａ内に配置されており、これら光源１１、セルフォックレンズ１４、および受光部１６は、モジュール化されている。
【００２４】
原稿載置部２０は、プラテンガラス２１に載置された原稿Ｍ２を読取部１０に読み取らせる。図２に示すように、プラテンガラス２１は、本体部５の上部に設けられた板体である。そして、読取部１０がプラテンガラス２１の下面に沿って移動させられることによって、プラテンガラス２１に載置された原稿Ｍ２が読み取られる。
【００２５】
原稿送出部３０は、給紙トレイ３１に載置された原稿Ｍ１を内部に繰り込むとともに、給紙トレイ３１からスリットガラス４１に向けて原稿Ｍ１を送出することにより、送出された原稿Ｍ１を読取部１０に読み取らせる。図２および図４に示すように、原稿送出部３０は、蓋部７に設けられており、主として、複数のローラー３５，３７、３９と、スリットガラス４１と、案内部材４２、４４と、押圧部材４６と、を有している。
【００２６】
ピックアップローラー３５は、給紙トレイ３１から原稿Ｍ１を１枚ずつ繰り出す。搬送ローラー３７は、ピックアップローラー３５により繰り込まれた原稿Ｍ１を、スリットガラス４１の上方に搬送する。排紙ローラー３９は、スリットガラス４１の上方を通過した原稿Ｍ１を排紙トレイ３３に排出する。
【００２７】
スリットガラス４１は、読取部１０の主走査方向に沿って延びる板体である。図２および図４に示すように、スリットガラス４１は、プラテンガラス２１と同様に、本体部５の上部に設けられている。そして、読取部１０が、スリットガラス４１の下方に移動させられた後、スリットガラス４１の下方で停止させられると、スリットガラス４１上を送出される原稿Ｍ１が読み取られる。
【００２８】
案内部材４２は、樹脂や金属により成形された板体である。案内部材４２は、搬送ローラー３７により搬送方向（矢印ＡＲ２方向）に送り出された原稿Ｍ１を、滑動部材７０およびスリットガラス４１の上方に案内する。
【００２９】
押圧部材４６は、スリットガラス４１の上方に設けられており、案内部材４２を案内され、滑動部材７０の上方を通過した原稿Ｍ１の上面を押圧する。これにより、スリットガラス４１の上方を通過する原稿Ｍ１が、スリットガラス４１から離隔することを防止できる。
【００３０】
案内部材４４は、案内部材４２と同様に、樹脂や金属により成形された板体である。案内部材４４は、スリットガラス４１の上方を通過した原稿Ｍ１を、排紙ローラー３９に案内する。
【００３１】
駆動部５０は、読取部１０を矢印ＡＲ１方向（移動方向）に沿って移動させる。図３に示すように、駆動部５０は、主として、キャリッジ５１と、ガイドレール５３と、摺動部５４と、プーリー５６と、ベルト５８と、ばね５９と、を有している。
【００３２】
キャリッジ５１は、読取部１０を移動方向に沿って移動させる運び台である。図３に示すように、キャリッジ５１は、上面、正面、および背面に開口が形成された箱体である。また、正面視におけるキャリッジ５１の断面形状は、Ｕ字状とされており、キャリッジ５１の下部は、摺動部５４の上部に固定されている。
【００３３】
ガイドレール５３は、矢印ＡＲ１方向に沿って延びる棒体である。図４に示すように、摺動部５４は、本体部５の内側底部に固定されている。また、摺動部５４は、ガイドレール５３に沿って矢印ＡＲ１方向に摺動自在とされている。さらに、不図示のモーターの回転力はプーリー５６に伝達されるとともに、プーリー５６は、ベルト５８を介して摺動部５４と連動連結されている。
【００３４】
したがって、原稿Ｍ１が読み取られる場合、駆動部５０は、スリットガラス４１の下方に読取部１０を移動させる。また、原稿Ｍ２が読み取られる場合、駆動部５０は、スリットガラス４１に沿った移動方向に読取部１０を移動させる。
【００３５】
ばね５９は、例えばコイルばねや板バネ等の弾性体により形成されており、読取部１０を上方に付勢する。図４に示すように、ばね５９の上端は読取部１０に、ばね５９の下端はキャリッジ５１の内側底部に、それぞれ固定されている。
【００３６】
したがって、読取部１０の上部は、この付勢によって、原稿送出部３０により送出される原稿Ｍ１が読み取られる場合にはスリットガラス４１の下面側に、原稿載置部２０に載置された原稿Ｍ２が読み取られる場合にはプラテンガラス２１の下面側に、それぞれ移動させられる。
【００３７】
表示部８０は、例えば、液晶ディスプレイにより構成されており、指や専用のペンで画面に触れることによって画面上の位置を指定できる「タッチパネル」としての機能を有している。したがって、原稿読取装置１の使用者（以下、単に、「使用者」と称する）は、表示部８０に表示された内容に基づき、表示部８０の「タッチパネル」機能を使用した指示を行うことによって、原稿読取装置１に所定の処理（例えば、給紙トレイ３１に載置された原稿Ｍ１を読み取らせる処理）を実行させることができる。このように、表示部８０は、使用者からの入力動作を受け付ける入力部としても使用される。
【００３８】
操作部８５は、いわゆるキーパッドによって構成された入力部である。使用者は、表示部８０の表示内容に基づいた入力作業を行うことによって、原稿読取装置１に対して所定の処理を実行させることができる。例えば、操作部８５の読取開始ボタン８６が押し下げられた場合、複数のローラー３５、３７、３９によりスリットガラス４１の上方に送出される原稿Ｍ１の画像、または、原稿載置部２０のプラテンガラス２１に載置された原稿Ｍ２の画像が、読み取られる。
【００３９】
制御部９０は、原稿読取装置１の各要素の動作制御、およびデータ演算を実現する。図１に示すように、制御部９０は、主として、ＲＯＭ９１と、ＲＡＭ９２と、ＣＰＵ９３と、を有している。
【００４０】
ＲＯＭ（Read Only Memory）９１は、いわゆる不揮発性の記憶部であり、例えば、プログラム９１ａが格納されている。なお、ＲＯＭ９１としては、読み書き自在の不揮発性メモリであるフラッシュメモリが使用されてもよい。
【００４１】
ＲＡＭ（Random Access Memory）９２は、揮発性の記憶部であり、例えば、ＣＰＵ９３の演算で使用されるデータが格納される。ＣＰＵ（Central Processing Unit）９３は、ＲＯＭ９１のプログラム９１ａに従った制御（例えば、原稿送出部３０による原稿Ｍ１の送出動作、および駆動部５０による読取部１０の往復動作等の制御）、並びに種々のデータ演算処理等を実行する。
【００４２】
＜１．２．各原稿から読取部までの距離の設定手法＞
図５は、プラテンガラス２１およびスリットガラス４１と、当接部６０との位置関係の一例を示す平面図である。図６は、スリットガラス４１と、当接部６０と、滑動部材７０との位置関係の一例を示す側面図である。図７は、プラテンガラス２１と、当接部６０との位置関係の一例を示す側面図である。ここでは、当接部６０および滑動部材７０を用いて、原稿Ｍ１から読取部１０までの距離Ｄ４と、原稿Ｍ２から読取部１０までの距離Ｄ５と、を設定する手法について説明する。
【００４３】
複数（本実施の形態では２つ）の当接部６０（第１規定部）は、図３〜図６に示すように、主走査方向における読取部１０の両端上部に設けられている。また、各当接部６０は、ばね５９により上方に付勢されている。
【００４４】
これにより、読取部１０がスリットガラス４１の下方に移動させられると、両当接部６０は、スリットガラス４１の第１下面ＬＳ１付近（具体的には、主走査方向におけるスリットガラス４１の両外側に位置する各対向面ＯＰ１）に突き当てられる。そのため、当接部６０によって、スリットガラス４１の第１下面ＬＳ１と、読取部１０の入射面と、の間の距離Ｄ１（第１距離）が、規定される。
【００４５】
また、読取部１０が矢印ＡＲ１方向に沿って移動させられつつ、当接部６０がプラテンガラス２１の下面ＬＳ２に突き当てられることによって、プラテンガラス２１の下面ＬＳ２と、読取部１０の入射面ＣＳと、の間の距離Ｄ２（第２距離）が、規定される。
【００４６】
ここで、両当接部６０の間の距離は、図５に示すように、主走査方向におけるスリットガラス４１のサイズより大きく、主走査方向におけるプラテンガラス２１のサイズより小さくなるように、設定されている。
【００４７】
滑動部材７０（第２規定部）は、スリットガラス４１の上面に固定されたシート体である。図６に示すように、滑動部材７０は、スリットガラス４１の上面ＵＳと、原稿Ｍ１の第１読取面ＲＳ１と、の間の距離Ｄ３（第３距離）を規定する。
【００４８】
そして、当接部６０および滑動部材７０は、原稿Ｍ１の読取面ＲＳ１と読取部１０の入射面ＣＳとの間の距離Ｄ４（第４距離）、および原稿Ｍ２の読取面ＲＳ２と読取部１０の入射面ＣＳとの間の距離Ｄ５（第５距離）、が同等となるように、距離Ｄ１〜Ｄ３を規定する。
【００４９】
そのため、ＣＣＤ（Charge Coupled Device）と比較して焦点深度の小さい密着イメージセンサが、読取部１０として用いられる場合であっても、原稿送出部３０により送出された原稿Ｍ１の画像、およびプラテンガラス２１上に載置された原稿Ｍ２の画像を、ピンぼけなく良好に読み取ることができる。
【００５０】
また、第１の実施の形態の原稿読取装置１において、原稿送出部３０により送出される原稿Ｍ１が読み取られる場合、原稿Ｍ１の読取面ＲＳ１は、スリットガラス４１の上面ＵＳから距離Ｄ３だけ隔てて配置される。
【００５１】
これにより、読取部１０の焦点深度が適切に（例えば、焦点深度が距離Ｄ３より小さくなるように）設定されていれば、スリットガラス４１の上面ＵＳにホコリ等の異物が付着している場合であっても、この異物の像が読取部１０で結像されることを防止できる。そのため、スリットガラス４１に異物が付着している場合であっても、この異物に起因したスジ（線）が原稿Ｍ１の画像に生じることを防止できる。
【００５２】
また、原稿Ｍ１は、スリットガラス４１の上面ＵＳから距離Ｄ３だけ隔てて配置されており、原稿Ｍ１の読取面ＲＳ１とスリットガラス４１が直接接触することを防止できる。そのため、スリットガラス４１に異物が付着すること自体を抑制できる。
【００５３】
＜２．第２の実施の形態＞
次に、本発明の第２の実施の形態について説明する。第１および第２の実施の形態の原稿読取装置１、１００は、対応するスリットガラス４１、１４１の構成が異なる点を除いては、同様な構成を有する。そこで、以下では、この相違点を中心に説明する。
【００５４】
なお、原稿読取装置１、１００で同様な構成要素には、同一符号が付されており、この同一符号が付された構成要素は、第１の実施の形態で説明済みである。そのため、本実施の形態では説明を省略する。
【００５５】
図８は、スリットガラス１４１と、当接部６０と、滑動部材７０との位置関係の一例を示す側面図である。スリットガラス１４１は、第１の実施の形態のスリットガラス４１と同様に、読取部１０の主走査方向に沿って延びる板体である。図８に示すように、スリットガラス１４１の上面ＵＳは、単一平面（面一：段差がない平面）とされており、主走査方向におけるスリットガラス１４１の両端は、フランジ状とされている。
【００５６】
また、主走査方向におけるスリットガラス１４１の両端の厚さＴＨ１２（第１厚さ）は、主走査方向におけるスリットガラス１４１の中央付近の厚さＴＨ１１（第２厚さ）より小さくなるように設定されている。
【００５７】
これにより、読取部１０がスリットガラス１４１の下方に移動させられると、両当接部６０は、フランジ状とされたスリットガラス１４１の両端に突き当てられる。そのため、当接部６０によって、スリットガラス１４１の第１下面ＬＳ１と、読取部１０の入射面ＣＳと、の間の距離Ｄ１（第１距離）が、規定される。
【００５８】
以上のように、第２の実施の形態の原稿読取装置１００においても、第１の実施の形態の原稿読取装置１と同様に、読取部１０の焦点深度が適切に設定されていれば、スリットガラス１４１の上面ＵＳにホコリ等の異物が付着している場合であっても、この異物の像が読取部１０で結像されることを防止できる。
【００５９】
そのため、スリットガラス１４１に異物が付着している場合であっても、この異物に起因したスジ（線）が原稿Ｍ１の画像に生じることを防止できる。
【００６０】
また、原稿Ｍ１は、スリットガラス１４１の上面ＵＳから距離Ｄ３だけ隔てて配置されており、原稿Ｍ１の読取面ＲＳ１とスリットガラス１４１が直接接触することを防止できる。そのため、スリットガラス１４１に異物が付着すること自体を抑制できる。
【符号の説明】
【００６１】
１、１００  原稿読取装置
１０  読取部
１０ａ  ハウジング
１１  光源
１６  受光部
２０  原稿載置部
２１  プラテンガラス
３０  原稿送出部
４１、１４１  スリットガラス
５０  駆動部
６０  当接部
７０  滑動部材
【図１】
0005862856.tif 000002
【図２】
0005862856.tif 000003
【図３】
0005862856.tif 000004
【図４】
0005862856.tif 000005
【図５】
0005862856.tif 000006
【図６】
0005862856.tif 000007
【図７】
0005862856.tif 000008
【図８】
0005862856.tif 000009